(57)【要約】      （修正有）【課題】被介護者の手を借りずに要介護者の排泄物の処理をすることができる自動洗浄装置を備えた排泄処理おむつを提供する。【解決手段】陰部と肛門部周り及び便尿排出口周りに用いるための便排水タンク７と温水洗浄タンク５及び泡水タンク８とをお尻背面側に設け、又、股間湿気部を乾燥する温風器１０と、更に便排水タンク及び温水タンクに空気圧縮するコンプレッサー１１を備え、これら全装置をおむつ内部に一体として形成した排泄処理おむつ。【選択図】図１
2010057576.tif 000002
【特許請求の範囲】
【請求項１】
陰部と肛門部周り及び便尿排出口周りに用いるための便排水タンクと温水洗浄タンク及び泡水タンクとをお尻背面側に設け、又、股間湿気部を乾燥する温風器と、更に便排水タンク及び温水タンクに空気圧縮するコンプレッサーを備え、これら全装置をおむつ内部に一体として形成した形態で、寝たきり状態の要介護者に用いることを特徴とする自動洗浄装置を備えた排泄処理おむつ。
【請求項２】
便排水タンクと温水洗浄タンクの空気圧縮には気圧センサで、又、洗浄水は電気温水とし温水センサで制御し、及び、各タンクには便排水パイプと洗浄水パイプ及び泡水パイプとに自動開閉弁付き機能を備え、更に、各センサと連動させた半導体素子等（超小型コンピューター）の内蔵で自動的に洗浄作動する機能を、おむつ内部に一体として形成した形態を特徴とする請求項１に記載の自動洗浄装置を備えた排泄処理おむつ。
【請求項３】
前記請求項１・２記載の発明において、おむつに備えた計器表示盤は、タンク毎の注水量目盛りと、各種センサの作動状況点灯盤と、洗浄水作動と泡水作動と便排水作動用有無の各点灯盤（ＬＥＤ使用）等を表示盤に備え、しかも、タンク内水量が減少し、又は何れかの計器類が不具合・異常のときは点滅し音量又は音声で警告する仕組みとした構造で計器表示盤の親機から、コードレス等で親機同様の計器表示する子機計器表示盤とで構成し、離れた場所から被介護者が子機の計器を見て、おむつの状態を管理することのできる形態を特徴とする自動洗浄装置を備えた排泄処理おむつ。
【発明の詳細な説明】
【技術分野】
【０００１】
本発明は一般に、自動洗浄装置を備えた排泄処理おむつに関する。より詳細には、被介護者の手を借りずに要介護者の排泄物の処理をすることができる自動洗浄装置を備えた排泄処理おむつ。
【背景技術】
【０００２】
従来、寝たきり状態の要介護者に用いられるおむつは、おむつ本体と洗浄水・温風ドライ・便排水・泡水等は付属の専用装置と連動させ作動する構造であるため、被介護者は毎回専用装置の保守管理と共に、おむつと連動する配管とセンサ線のケーブル軸が股間から通すため不便を強いられることから、おむつ内部に洗浄水・温風・泡水・便排水・コンプラッサー等洗浄に必要な機能を一体に備えた全自動の排泄処理おむつに改善し、被介護者が容易に使用でくる装置を提供する必要があった。
【０００３】
【特許文献１】特開２００１−１１２８０３
【特許文献２】国際公開第２００６／０４６５３２
【特許文献３】特開平４−２８８１５８
【特許文献４】特開２０００−３２５２５８
【特許文献５】特開２００２−１０７３６１
【特許文献６】特開平６−５４８７４
【特許文献７】特開２００５−１０３１３１
【特許文献８】特願２００７−２０４２３１
【発明の開示】
【発明が解決しようとする課題】
【０００４】
寝たきり状態の要介護者に対して、被介護者が厄介とする課題に、食事・入浴・排泄物処理等があり、とりわけ排泄物処理は、糞汚物と共に臭気も伴うため、最も面倒で憂慮される介護とされている。紙おむつ等の普及で負担も軽減されているものの、毎回のおむつの交換と糞廃棄は被介護者にとって重荷となり、深刻な社会問題にもなっている。
【０００５】
本発明は、このような状況に鑑みて案出されたものであって、交換の手間を省く自動洗浄装置を備えた排泄処理おむつを提供することを目的としている。
【課題を解決するための手段】
【０００６】
本願請求項１に記載の、陰部と肛門部周り及び便尿排出口周りに用いるための便排水タンクと温水洗浄タンク及び泡水タンクとをお尻背面側に設け、又、股間湿気部を乾燥する温風器と、更に便排水タンク及び温水タンクに空気圧縮するコンプレッサーを備え、これら全装置をおむつ内部に一体として形成した形態で、寝たきり状態の要介護者に用いることを特徴とするものである。
【０００７】
本願請求項２に記載の、自動洗浄装置を備えた排泄処理おむつは、便排水タンクと温水洗浄タンクの空気圧縮には気圧センサで、又、洗浄水は電気温水とし温水センサで制御し、及び、各タンクには便排水パイプと洗浄水ノズル付噴射パイプ及び泡水パイプとに自動開閉弁付き機能を備え、更に、各センサと連動させた半導体素子等（超小型コンピューター）の内蔵で自動的に洗浄作動する機能を、おむつ内部に一体として形成した形態を特徴とするものである。
【０００８】
本願請求項３に記載の、自動洗浄装置を備えた排泄処理おむつは、前記請求項１・２記載の発明において、おむつに備えた計器表示盤は、タンク毎の注水量目盛りと、各種センサの作動状況点灯盤と、洗浄水作動と泡水作動と便排水作動有無の各点灯盤（ＬＥＤ使用）等を表示盤に備え、しかも、タンク内水量が減少したとき又は何れかの計器類が不具合・異常のときは点滅し音量又は音声で警告する仕組みとした構造で計器表示盤の親機から、コードレス等で親機同様の計器表示をする子機計器表示盤とで構成し、要介護者から離れた場所で被介護者が子機の計器を見て、おむつの状態を管理することのできる形態を特徴とするものである。
【発明の効果】
【０００９】
本発明の自動洗浄装置を備えた排泄処理おむつは、便排水タンクと温水洗浄タンク及び泡水タンクとをお尻背面側に一体として備え、更に、便排水及び温水タンクに空気圧縮するコンプレッサーと、排便尿後の陰部又は肛門部を乾燥する温風器を備えているため、排便尿後の洗浄を自動ですることが可能であり、また、本発明の自動洗浄装置を備えた排泄処理おむつによれば、半導体素子等（超小型コンピューター）の内蔵で、各タンクでの便排水パイプと泡水パイプ及び洗浄水ノズル付噴射パイプの各配管に自動開閉弁付き機能を備え、各センサと連動で制御されているので、自動的に開閉弁が作動される。これら機能のおむつと一体に形成されているため、これまでのおむつと制御装置の分離した構造よりも、効率よい効果が可能である。
【発明を実施するための最良の形態】
【００１０】
次に図面を参照して、本発明の好ましい実施の形態に係る自動洗浄装置を備えた排泄処理おむつについて詳細に説明する。図１は、本発明の好ましい実施の形態に係る自動洗浄装置を備えた排泄処理おむつを示した標準姿図である。前面外側被覆１と前面内側防水厚被覆２及び裏面外側被覆３には合成樹脂繊維等を用い、しかも内側面を防水製で形成する。又、お尻部背面側の腰周りから横腹部に公知の電気で沸かす洗浄温水タンク／配管自動開閉装置付６（配管は陰部と肛門部の２系統）と、普通水を使用する便排水タンク／配管自動開閉装置付７（配管は便排水パイプ１〜２系統）と、泡原液又は薄めた液を用いる泡水タンク／配管自動開閉装置付（配管は便尿排出口１〜２系統）と、公知の自動開閉装置を用い、及びタンク内補強としてタンク内補強壁９に、これら部材をプラスチック等合成樹脂製又は鋼材で形成しやや長方形等とし背面と横腹部に合う形状に組み立てる、そして裏面内側耐熱緩衝材付防水被覆／下面部防水厚被覆４でお尻部から背面部に向け防水被覆し合成樹脂繊維等で形成する。
（タンク容量について、例えば胴回り８０cmの人でタンク胴長さ５５cm×縦長２０cm×厚（幅）９cmとした場合＝９，９リットルの水量となり、泡水１，５対温水３，５対便排水５の比率とした場合、泡水１，５リットル＋温水３，５リットル＋便排水４，９リットルとなり十分な水量を蓄えることができる）
【００１１】
図１の説明を追加する。タンク上部（左右問わず）に温風器室（ドライヤー）１０（陰部と肛門部の２系統）は３５℃程度の適温に設定し、又、タンク内部を空気圧縮するためコンプレッサー室（小型モーター空気圧縮機）１１は、７０〜９０ＫＰa（パスカル）前後に設定し、洗浄温水タンクを低く便排水タンクを高めのパスカル値にするとよく、更に、計器表示盤１２と、超小型コンピューター内蔵１３と、配管／配線空路１４及び注水口／ネジ込みキャップ付１５と、泡注水口／ネジ込みキャップ付１６によって形成されている。そして、急斜部には／洗浄ノズル・温風＆泡水パイプ及び尿、便臭センサ・湿気センサ１７を設け、超小型コンピューター内蔵１３と連動し制御する。
【００１２】
図１をさらに説明する。排便兆候時は腹筋圧の状態を感知する腹筋圧センサ２２はタイム付きとし腹筋圧センサ間の連動線が腹筋で伸縮状態を腹筋圧センサで感知させ、３度目程度の腹筋圧で作動を始め同時に泡水が出るようにし、しかも排便の有無に関わらず再度断続的に腹筋圧を繰返しても作動しない設定とする。例えば１回目の作動後泡水を出し、その後は５分程度経過しなければ腹筋圧センサが２回目の作動をしないよう設定し必要以上の泡水を出させない様にする。排便尿は便尿仕切壁で区分し／電気コード差込み部、電源スイッチ１９を兼ねる、従って、外部との接続は電気コード１９のみとした構造としている。排便尿は便尿排出口１８から排出され、便尿排水管２３を経て別に設ける糞尿貯溜タンク又は下水管に接続し処理する。なお、便尿排水管２３を経て糞尿貯溜タンクを用いる場合はベッドを利用し、又、畳上での布団の場合は下水管に接続するものとする。
【００１３】
図２は、自動洗浄装置を備えた排泄処理おむつを示した標準正面図である。洗浄温水タンク／配管自動開閉装置付６と、普通水を使用する便排水タンク／配管自動開閉装置付７と、泡原液又は適量に薄めた液を用いる泡水タンク／配管自動開閉装置付８と、及びタンク内補強としてタンク内補強壁９と、配管と／配線の空路１４を設け、お尻部背面側の腰周りと横腹部等に至るように形成し体重に耐える構造とし、しかも肌に温熱が伝わらないよう裏面内側耐熱緩衝材付防水被覆／下面部防水厚被覆４で被覆し、かつ、クッション材を用い表面を防水被覆とし、寝たきり状態の被介護者の肉体的苦痛を軽減し緩和させる。また、洗浄温水タンクと便排水タンクには空気圧縮させ水圧を高めるためコンプレッサー１１を設けている、しかし、泡水タンク８は自然流下として空気圧縮をしない仕組みとしている。又、各タンクの下部分に配管を施し自動開閉装置付とし、超小型コンピューター内蔵１３で排便尿時に各センサの作動で洗浄までをコントロールするシステムである。
【００１４】
図３は、自動洗浄装置を備えた排泄処理おむつを示した標準平面図である。電気温水タンクと、便排水タンクへの補給注水は好ましくは専用の水入れ容器から手作業で行うが、注水する時はエアー抜き弁２５を押さえ空気圧を吐出させ減圧させてから、注水キャップを外し注水口／ネジ込みキャップ付１５から注水をする。更に、泡水を補給するときは泡注水口／ネジ込みキャップ付を外し、予め泡原液を適量に薄めたものを注水することもできる。
【００１５】
図３において、計器表示盤１２には各タンクの注水量目盛りと、気圧センサ・温度センサ＆温度デジタル数値盤・尿臭センサ・糞臭センサ・陰部湿度センサ・肛門部湿度センサ・腹筋圧センサの作動等点灯盤と、洗浄水作動の点灯盤、泡水作動の点灯盤、便排水作動の点灯盤等（点灯はＬＥＤ使用）を表示盤に設け、しかも、タンク内の水量が減少したとき又は何れかの計器装置等が不具合・異常のときは、その箇所のLEDが点滅し音量で警告する仕組みとした計器表示盤であり、しかも、計器表示盤（親機）とコードレス又はコードで連動した子機の性能をもった計器表示盤は要介護者から離れた場所で被介護者が計器による管理をできるようにした。
【００１６】
図４は、自動洗浄装置を備えた排泄処理おむつを示した標準断面図である。本おむつを装着させる場合は裏面内側耐熱緩衝材付防水被覆／下部面防水厚被覆４を下にし広げ被介護者のお尻を乗せ、両足の股間から前面内側防水厚被覆を腹側に被せマジックテープ（登録商標）継手部５で止める。しかし、継手摺付部２６は各種タンクの厚さ分にし形成させ、前面内側防水厚被覆２を伸縮性として、ある程度の異なる体形にも対応できるようにし、マジックテープ（登録商標）継手部５で締める。そして、電気コードを差込み、電源スイッチを入れ操作開始となる。排便尿時は各種センサの作動で感知し、しかも排便又は排尿に際しタンクの高さに合わせた急斜部の厚さにより排便と共に便尿流出が容易になり、かつ男女兼用の構造である。しかも内部に配管・配線する洗浄ノズル・温風＆泡水パイプ及び尿、便臭センサ・湿気センサ１７により、次のような手順で洗浄される。つまり排便の兆候で腹筋圧センサが作動し、泡水が流れ出し、排便（尿）後温水洗浄（陰部と肛門部）され、便排水が流れ出すと同時に、湿気センサの作動で温風（陰部と肛門部）がでてドライされ終了する仕組みで排泄物を処理するものであり、これらの手順は既に公開等（特許文献７及び８）されているシステムであることから詳細な説明は省略する。
【産業上の利用可能性】
【００１７】
本発明は、超高齢化社会に伴い痴呆症等で寝たきり状態の要介護者に提供する自動洗浄装置を備えた排泄処理おむつであり、これ以外にも、交通事故や手術等で一時的に歩行困難となった患者或いは離乳児のあかちゃんにも利用できることは明白である。
【図面の簡単な説明】
【００１８】
【図１】本発明の好ましい実施の形態の自動洗浄装置を備えた排泄処理おむつを示した姿図である。
【図２】自動洗浄装置を備えた排泄処理おむつを示した正面図である。
【図３】自動洗浄装置を備えた排泄処理おむつを示した平面図である。
【図４】自動洗浄装置を備えた排泄処理おむつを示した断面図である。
【符号の説明】
【００１９】
１  前面外側被覆
２  前面内側防水厚被覆
３  裏面外側被覆
４  裏面内側耐熱緩衝材付防水被覆／下部面防水厚被覆
５  マジックテープ継手部（「マジックテープ」は登録商標）
６  洗浄温水タンク／配管自動開閉装置付（配管２系統）
７  便排水タンク／配管自動開閉装置付（配管１〜２系統
８  泡水タンク／配管自動開閉装置付（配管１〜２系統）
９  タンク内補強壁
１０  小型温風器室（ドライヤー）
１１  小型コンプレッサー室
１２  計器表示盤
１３  超小型コンピューター内蔵
１４  配管／配線空路
１５  注水口／ネジ込みキャップ付
１６  泡注水口／ネジ込みキャップ付
１７  急斜部／洗浄ノズル・温風＆泡水パイプ及び尿、便臭センサ・湿気センサ
１８  便尿排出口
１９  便尿仕切壁／電気コード差込み部、電源スイッチ
２０  各種パイプ／洗浄・温風・泡水各パイプ
２１  各種センサ／陰部と肛門部湿気センサ・温水センサ・気圧センサ
２２  腹筋圧センサ
２３  便尿排水管
２４  便排水パイプ
２５  エアー抜き弁
２６  継手摺付部
【図１】
2010057576.tif 000003
【図２】
2010057576.tif 000004
【図３】
2010057576.tif 000005
【図４】
2010057576.tif 000006
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
要介護者のおむつとして用いるもので、便排水タンクと洗浄温水タンク及び泡水タンクとを、おむつ内部のお尻背面側に一体として設け、又、股間湿気部を乾燥する温風器と、水圧を高めるコンプレッサーを共に備え、これら装置をおむつの内部に一体として構成した形態を特徴とした自動洗浄装置を備えた排泄処理おむつ。
【請求項２】
便排水タンクと洗浄温水タンク及び泡水タンクには、各々パイプを取付けこのパイプは自動開閉弁機能付きとし、しかも半導体素子等（小型コンピューター）の内蔵により、各種装置とも連動し自動処理する機能を、おむつ内部に一体として形成した形態を特徴とする請求項１記載の自動洗浄装置を備えた排泄処理おむつ。
【請求項３】
前記請求項１・２記載の発明において、おむつに備えた計器表示盤には、タンク毎の注水量目盛りと、洗浄水と泡水及び便排水等作動状況の制御有無を各点灯（ＬＥＤ使用）等によって表示盤で管理し、計器類が不具合か異常のときはＬＥＤが点滅し警告する機能とし、及び、おむつに備えた計器表示盤を親機とし、コード等により親機同様の計器表示する子機計器表示盤とで構成し、離れた場所から被介護者が子機によって、おむつの状態を介護する形態を特徴とした自動洗浄装置を備えた排泄処理おむつ。
【手続補正２】
【補正対象書類名】明細書
【補正対象項目名】０００６
【補正方法】変更
【補正の内容】
【０００６】
本願請求項１に記載の、要介護者のおむつとして用いるもので、便排水タンクと洗浄温水タンク及び泡水タンクとを、おむつ内部のお尻背面側に一体として設け、又、股間湿気部を乾燥する温風器と、水圧を高めるコンプレッサーを共に備え、これら装置をおむつの内部に一体として構成した形態を特徴とするものである。
【手続補正３】
【補正対象書類名】明細書
【補正対象項目名】０００７
【補正方法】変更
【補正の内容】
【０００７】
本願請求項２に記載の、便排水タンクと洗浄温水タンク及び泡水タンクには、各々パイプを取付けこのパイプは自動開閉弁機能付きとし、しかも半導体素子等（小型コンピューター）の内蔵により、各種装置とも連動し自動処理する機能を、おむつ内部に一体として形成した形態を特徴とするものである。
【手続補正４】
【補正対象書類名】明細書
【補正対象項目名】０００８
【補正方法】変更
【補正の内容】
【０００８】
本願請求項３に記載の、前記請求項１・２記載の発明において、おむつに備えた計器表示盤には、タンク毎の注水量目盛りと、洗浄水と泡水及び便排水等作動状況の制御有無を各点灯（ＬＥＤ使用）等によって表示盤で管理し、計器類が不具合か異常のときはＬＥＤが点滅し警告する機能とし、及び、おむつに備えた計器表示盤を親機とし、コード等により親機同様の計器表示する子機計器表示盤とで構成し、離れた場所から被介護者が子機によって、おむつの状態を介護する形態を特徴とするものである。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
要介護者のおむつとして用いるもので、便排水タンクと洗浄温水タンク及び泡水タンクとを、おむつ内部のお尻背面側に一体として設け、又、股間湿気部を乾燥する温風器と、水圧を高めるコンプレッサーを共に備え、これら前装置をおむつ内部に一体として構成した形態を特徴とした自動洗浄装置を備えた排泄処理おむつ。
【請求項２】
便排水タンクと洗浄温水タンク及び泡水タンクには、各々パイプを取付けこのパイプは自動開閉弁機能付きとし、しかも半導体素子の内蔵により、各種装置とも連動し自動処理する機能を、おむつ内部に一体として形成した形態を特徴とする請求項１記載の自動洗浄装置を備えた排泄処理おむつ。
【請求項３】
前記請求項１または２記載の発明において、おむつに備えた計器表示盤には、タンク毎の注水量目盛と、洗浄水と泡水及び排便水等作動状況の制御有無を各点灯によって表示盤で管理し、計器類が不具合か異状のときはLEDが点滅し警告する機能とし、及び、おむつに備えた計器表示盤を親機とし、コード等により親機同様の計器表示する子機計器表示盤とで構成し、離れた場所から被介護者が子機によって、おむつの状態を介護する形態を特徴とした自動洗浄装置を備えた排泄処理おむつ。
【手続補正２】
【補正対象書類名】明細書
【補正対象項目名】０００６
【補正方法】変更
【補正の内容】
【０００６】
本願請求項１に記載の、要介護者のおむつとして用いるもので、便排水タンクと洗浄温水タンク及び泡水タンクとを、おむつ内部のお尻背面側に一体として設け、又、股間湿気部を乾燥する温風器と、水圧を高めるコンプレッサーを共に備え、これら前装置をおむつ内部に一体として構成した形態を特徴とするものである。
【手続補正３】
【補正対象書類名】明細書
【補正対象項目名】０００７
【補正方法】変更
【補正の内容】
【０００７】
本願請求項２に記載の、便排水タンクと洗浄温水タンク及び泡水タンクには、各々パイプを取付けこのパイプは自動開閉弁機能付きとし、しかも半導体素子の内蔵により、各種装置とも連動し自動処理する機能を、おむつ内部に一体として形成した形態を特徴とするものである。
【手続補正４】
【補正対象書類名】明細書
【補正対象項目名】０００８
【補正方法】変更
【補正の内容】
【０００８】
本願請求項３に記載の、前記請求項１または２記載の発明において、おむつに備えた計器表示盤には、タンク毎の注水量目盛と、洗浄水と泡水及び排便水等作動状況の制御有無を各点灯によって表示盤で管理し、計器類が不具合か異状のときはLEDが点滅し警告する機能とし、及び、おむつに備えた計器表示盤を親機とし、コード等により親機同様の計器表示する子機計器表示盤とで構成し、離れた場所から被介護者が子機によって、おむつの状態を介護する形態を特徴とするものである。
【手続補正書】
【提出日】平成21年2月27日(2009.2.27)
【手続補正１】
【補正対象書類名】特許請求の範囲
【補正対象項目名】請求項１
【補正方法】変更
【補正の内容】
【請求項１】
要介護者のおむつとして用いるもので、便排水タンクと洗浄温水タンク及び泡水タンクとを、おむつ内部のお尻背面側に一体として設け、又、股間湿気部を乾燥する温風器と、水圧を高めるコンプレッサーを共に備えた装置をおむつ内部に一体として構成した形態を特徴とした自動洗浄装置を備えた排泄処理おむつ。
【手続補正２】
【補正対象書類名】明細書
【補正対象項目名】０００６
【補正方法】変更
【補正の内容】
【０００６】
本願請求項１に記載の、要介護者のおむつとして用いるもので、便排水タンクと洗浄温水タンク及び泡水タンクとを、おむつ内部のお尻背面側に一体として設け、又、股間湿気部を乾燥する温風器と、水圧を高めるコンプレッサーを共に備えた装置をおむつ内部に一体として構成した形態を特徴とするものである。